(57)【特許請求の範囲】
【請求項１】
一端側が閉成されるとともに他端側が解放された筒状とされ、容器の口部の外周に螺合されるキャップ本体と、
前記キャップ本体の解放端側の内周に設けられ、前記キャップ本体の半径方向に前記容器の口部と係合して前記キャップ本体の軸方向移動を阻止する阻止部と、
前記キャップ本体の解放端から軸方向に割溝状に切り欠かれ、弾性変形に基づき、前記キャップ本体の周方向の溝間を拡大することにより前記キャップ本体の解放端部を拡径できて阻止部の係合を解除する溝部と、
前記キャップ本体の外周に、周方向に溝部を跨ぎ、周方向の一端側が回動中心とされて他端側が周方向へ離脱可能に係止され、係止によれば前記溝部の溝間の拡大を阻止し、離脱によれば溝間の拡大を許容するロック部材と、
前記ロック部材と同一周方向線上に、前記ロック部材を間に位置してロック部材の一端側からロック部材の他端へと達し、前記キャップ本体の外周に脆弱部を介して支持され、脆弱部の破断により、前記ロック部材の一端側に対応する一端から他端へ向けて捲るようにして取り除け、捲り開始端と前記ロック部材の一端との間には捲り開始端掴み用の間隙を有し、捲り終了端は前記ロック部材の係止側の他端側の端と当接するバンド部材と、
を備えたことを特徴とするキャップ。
【請求項２】
前記ロック部材は、キャップ本体の軸方向との直交面上で回動する請求項１に記載のキャップ。 
【請求項３】
前記キャップ本体の閉成端外側に、キャップ本体内に連通し、トリガー操作によって容器内の液体を吸い上げて噴出するトリガースプレーヤを設けることができ、トリガースプレヤの容器への装着用とされる請求項１又は請求項２に記載のキャップ。
【発明の詳細な説明】
【技術分野】
【０００１】
本発明は、開栓抵抗型のキャップに関する。
【背景技術】
【０００２】
従来、この種のキャップとして、特許文献１には、ラチェット構造により、不正開栓防止機能（ピルファープルーフ）用の開封帯の除去前のキャップの開栓方向への回転を防止するものが公知である。
【０００３】
また、特許文献２には、フタ側のプッシュタブを押し下げ、プッシュタブを容器側のかみ合い歯から離脱させない限り、フタを回転してフタを容器から除去することを防止する幼児抵抗型（チャイルドレジスタント）のものが公知である。
【特許文献１】特開平１１−１２４１５６号公報
【特許文献２】特表平１１−５０１６０２号公報
【発明の開示】
【発明が解決しようとする課題】
【０００４】
ここで、開栓抵抗を強化したい。
【０００５】
本発明は、上記事実を考慮し、開栓抵抗を強化したキャップを提供することを目的とする。
【課題を解決するための手段】
【０００６】
本発明の請求項１に係るキャップは、一端側が閉成されるとともに他端側が解放された筒状とされ、容器の口部の外周に螺合されるキャップ本体と、前記キャップ本体の解放端側の内周に設けられ、前記キャップ本体の半径方向に前記容器の口部と係合して前記キャップ本体の軸方向移動を阻止する阻止部と、前記キャップ本体の解放端から軸方向に割溝状に切り欠かれ、前記キャップ本体の周方向の溝間を拡大することにより前記キャップ本体の解放端部を拡径できて阻止部の係合を解除する溝部と、前記キャップ本体の外周に、周方向に溝部を跨ぎ、周方向の一端側が回動中心とされて他端側が周方向へ離脱可能に係止され、係止によれば前記溝部の溝間の拡大を阻止し、離脱によれば溝間の拡大を許容するロック部材と、を備えた構成を特徴とする。
【０００７】
また、更に、前記ロック部材と同一周方向線上に、前記ロック部材を間に位置してロック部材の一端側からロック部材の他端へと達し、前記キャップ本体の外周に脆弱部を介して支持され、脆弱部の破断により、前記ロック部材の一端側に対応する一端から他端へ向けて捲るようにして取り除け、捲り開始端と前記ロック部材の一端との間には捲り開始端掴み用の間隙を有し、捲り終了端は前記ロック部材の係止側の他端側の端と当接するバンド部材を備えたことを特徴とする。
【０００８】
本発明の請求項２に係るキャップは、請求項１の構成において、前記ロック部材は、キャップ本体の軸方向との直交面上で回動することを特徴とする。
【０００９】
本発明の請求項３に係るキャップは、請求項１又は請求項２の構成において、前記キャップ本体の閉成端外側に、キャップ本体内に連通し、トリガー操作によって容器内の液体を吸い上げて噴出するトリガースプレーヤを設けることができ、トリガースプレヤの容器への装着用とされることを特徴とする。
【００１０】
上記構成によれば、ロック部材の他端側がキャップ本体に係止されている限り、溝部の溝間が拡大できない。キャップ本体を開栓方向に回動しようとしても、キャップ本体の解放端部は拡径できず、阻止部は容器の口部と係合を維持し、キャップ本体の軸方向移動はできない。キャップ本体は開栓方向の回動ができず、キャップは開栓されない。
【００１１】
キャップを開栓するには、ロック部材の他端側をキャップ本体から離脱しなければならない。すなわち、ロック部材を回動して、請求項２によれば、キャップ本体の軸方向と直交する面上で回動し、ロック部材の他端側をキャップ本体から離脱する。ロック部材の他端側がキャップ本体から離脱すると、キャップ本体が回動してキャップ本体が軸方向に移動するのに伴い、弾性変形に基づき、溝部の溝間が拡大し、キャップ本体の解放端部が拡径し、阻止部の容器の口部との係合が解除され、キャップ本体の容器の口部との螺合が緩み、キャップが明けられる。
【００１２】
キャップを開栓するのに、キャップ本体の解放端部を拡径する力を余分に要するのに加え、ロック部材を離脱する操作も要し、従って、キャップの開栓抵抗が強化されている。幼児抵抗型（チャイルドレジスタント）として有効である。
【００１３】
また、ロック部材の他端側の端にはバンド部材の捲り終了端が達しているので、ロック部材のキャップ本体からの離脱の前にはまず、バンド部材を、捲り開始端掴み用の間隙を利用し、捲り開始端から捲って取り除かなければならない。キャップの開栓抵抗が一層に強化されている。また、バンド部材によれば、不正開栓防止機能（ピルファープルーフ）が発揮される。
【００１４】
請求項３の構成によれば、上述のキャップに対応する容器であればそれを替容器として、それにトリガースプレーヤの装着ができる。
【発明の効果】
【００１５】
本発明によれば、キャップの開栓抵抗が強化される。
【発明を実施するための最良の形態】
【００１６】
本発明のキャップに係る第１の実施の形態を図１乃至図７に基づき説明する。
【００１７】
図２に示すように、キャップ１０は、キャップ本体１２を備える。キャップ本体１２は、円筒状とされ、軸方向の一端側が閉成されるとともに他端側が解放されている。すなわち有底筒状とされている。キャップ本体１２の内周には軸方向中間部に、ネジ１４が形成されている。ネジ１４は、容器１６の口部１８の外周に形成されたネジ２０と螺合される。キャップ本体１２を回動して（図１（Ａ）、図１（Ｂ）に矢印Ｒで示す方向に回動して）螺合締付れば、口部１８を閉じ、閉栓することができる。キャップ本体１２を反対方向（図１（Ａ）、図１（Ｂ）に矢印Lで示す方向）へ回動して螺合を緩めれば、口部１８を開け、開栓することができる。容器１６は、例えば、洗剤、薬剤用等のものが可能である。
【００１８】
ネジ１４よりキャップ本体１２の解放端側の内周には、阻止部としてのアンダーカット部２２が設けられている。アンダーカット部２２は、キャップ本体１２の口部１８への螺合締付の状態で、口部１８の基端側にあるアンダーカット部２４と、キャップ本体１２の半径方向に係合される。アンダーカット部２２、アンダーカット部２４はそれぞれ、軸方向と直交する一面上で一周して閉ループをなしている。アンダーカット部２２とアンダーカット部２４との係合によれば、キャップ本体１２の軸方向移動が阻止される。キャップ本体１２の口部１８への螺合を緩めることができない。
【００１９】
アンダーカット部２２の部分へ達するようにキャップ本体１２の解放端からは、図３に示すように、軸方向に割溝状に、溝部２６が切り欠かれている。弾性変形に基づき、キャップ本体１２の周方向に溝部２６の溝間（溝幅）が拡大することにより、キャップ本体１２の解放端部が拡径される。アンダーカット部２２とアンダーカット部２４との係合を解除することができる。キャップ本体１２の回動に伴うキャップ本体１２の軸方向の移動によってキャップ本体１２のアンダーカット部２２がアンダーカット部２４で半径方向外側へ押されると、キャップ本体１２の解放端部が、弾性変形に基づき、溝部２６の溝間の拡大によって拡径される。
【００２０】
溝部２６を跨ぐようにキャップ本体１２の外周には、図１（Ａ）、図１（Ｂ）に示すように、キャップ本体１２の周方向に長く、軸方向を幅方向とする板状のロック部材２８が設けられている。ロック部材２８の周方向の一端側は、ロック部材２８の回動中心を弾性変形的になす薄部位２７を介してＬ字に屈曲されてキャップ本体１２に支持されている。ロック部材２８の他端側には鉤部２９が形成されて鉤部２９が、溝部２６に沿ってキャップ本体１２に突設された突起３１に離脱可能に係止されている。ロック部材２８の回動中心の方向は、ロック部材２８の軸方向である。すなわち、ロック部材２８は、キャップ本体１２の軸方向との直交面上で回動する。ロック部材２８の鉤部２９のキャップ本体１２の突起３１との係止（図４（Ａ）、図４（Ｂ）に示す状態）によれば、溝部２６の溝間の拡大が阻止される。ロック部材２８を矢印ＵＬの向きに回動し、ロック部材２８の鉤部２９を、キャップ本体１２の突起３１から離脱（図５（Ａ）、図５（Ｂ）に示す状態）すれば、溝部２６の溝間の拡大が許容される。
【００２１】
更に、ロック部材２８と同一周方向線上には、バンド部材３０が帯状に設けられている。バンド部材３０は、ロック部材２８を延長したかの如く長尺板状とされて、ロック部材２８を間に位置して、ロック部材２８の回動中心側の一端側からロック部材２８の他端へと達している。ロック部材２８、バンド部材３０は、幅寸法が溝部２６の溝長さに渡るようにされる。バンド部材３０において、キャップ本体１２の開放端側と反対側の縁部には、Ｌ字に屈曲されて脆弱部としての薄片３２が周方向に沿って形成されている。バンド部材３０は、薄片３２を介してキャップ本体１２の外周に支持されている。バンド部材３０を、ロック部材２８の回動中心側の一端側に対応する一端（捲り開始端）から他端（捲り終了端）へ向けて引っ張って（矢印Ｐで図示）捲るようにすれば、図１（Ｂ）に一点鎖線で示す破断線３３に沿って、薄片３２を破断でき、バンド部材３０をキャップ本体１２から取り除くことができる。
【００２２】
ここで、バンド部材３０の捲り開始端とロック部材２８の回動中心側の一端側の端との間には捲り開始掴み用の間隙３４がある。これに対し、バンド部材３０の捲り終了端とロック部材２８の係止側の他端側の端との間には間隙が無い。バンド部材３０の捲り終了端は、ロック部材２８の係止側の他端側の端（鉤部２９）と当接している。捲り開始に当たってバンド部材３０の捲り開始端の掴みを確実化できるとともに、ロック部材２８の鉤部２９への操作を困難化している。
【００２３】
バンド部材３０の捲り開始側の部分には、捲り開始端（捲り開始端部には薄片３２と同様の薄片３３を有している。）を除き、薄片３２が無い。薄片３２、３３の無い部分は、キャップ本体１２と離間している。バンド部材３０の捲り開始端の薄片３３を破断すれば、図６（Ａ）、図６（Ｂ）に示すように、バンド部材３０の捲り開始側における薄片３２、３３の無い部分３９を、バンド部材３０の捲り掴み代として適当に十分な長さ、用意できる。すなわち、図７（Ａ）、（Ｂ）に示すように、バンド部材３０の後続部分を引っ張って捲るのに、都合がよい。
【００２４】
バンド部材３０の捲り終了側の部分も、捲り終了端へ掛けて、薄片３２が無い。これは、バンド部材３０の捲り終了が、ロック部材２８に影響を与えないようにしている。
【００２５】
なお、図２に示すように、キャップ本体１２内には底から、容器１６の口部１８に向けて、キャップ本体１２と同軸状に嵌合筒部４０が突設されている。嵌合筒部４０の外周が、口部１８の内周に嵌合され、容器１６内が密封化される。
【００２６】
また、キャップ１０は、合成樹脂製として一体に成型可能である。
【００２７】
次に、上記の実施の形態について作用を説明する。
【００２８】
図４（Ａ）、図４（Ｂ）に示すように、ロック部材２８の他端側の鉤部２９がキャップ本体１２に係止されている限り、溝部２６の溝間が拡大できない。キャップ本体１２を開栓方向（矢印Ｌで示す方向）に回動しようとしても、キャップ本体１２の解放端部は拡径できず、キャップ本体１２側のアンダーカット部２２と容器１６の口部１８側のアンダーカット部２４とは係合を維持し、キャップ本体１２の軸方向移動はできない。キャップ本体１２は開栓方向の回動ができず、キャップ１０は開栓されない。
【００２９】
キャップ１０を開栓するには、ロック部材２８の他端側の鉤部２９をキャップ本体１２の突起３１から離脱しなければならない。すなわち、図５（Ａ）、図５（Ｂ）に示すように、ロック部材２８を、矢印ＵＬの向きに、キャップ本体１２の軸方向と直交する面上で回動し、ロック部材２８の鉤部２９をキャップ本体１２の突起３１から離脱する。ロック部材２８の他端側の鉤部２９がキャップ本体１２の突起３１から離脱すると、キャップ本体１２が回動してキャップ本体１２が軸方向に移動するのに伴い、弾性変形に基づき、溝部２６の溝間が拡大してキャップ本体１２の解放端部が拡径し、キャップ本体１２側のアンダーカット部２２と容器１６の口部１８側のアンダーカット部２４との係合が解除され、キャップ本体１２の容器１６の口部１８との螺合が緩み、キャップ１２が開栓される。
【００３０】
キャップ１０の閉栓は、上述と逆の操作となり、最後に、ロック部材２８の鉤部２９を、矢印ＵＬと反対方向に回動して戻し、キャップ本体１２の突起３１に係止すればよい。
【００３１】
以上、キャップ１０を開栓するには、キャップ本体１２の解放端部を拡径する力を余分に要するのに加え、ロック部材２８を離脱する操作も要し、従って、キャップ１０の開栓抵抗が強化される。幼児抵抗型（チャイルドレジスタント）として有効である。
【００３２】
まだ一度も開栓していない状態では、図１に示すように、バンド部材３０がキャップ本体１２に有り、バンド部材３０の捲り終了端がロック部材２８の他端側の鉤部の端に達していて、ロック部材２８の鉤部２９のキャップ本体１２の突起３１からの離脱ができない。最初の開栓の場合には、すなわち、ロック部材２８の鉤部２９のキャップ本体１２の突起３１からの離脱の前にはまず、図６（Ａ）、（Ｂ）、図７（Ａ）、図７（Ｂ）に示すように、バンド部材３０を、捲り開始掴み用の間隙３４を利用し、捲り開始端から矢印Ｐの向きに引っ張って捲って取り除かなければならない。キャップ１０の開栓抵抗が一層に強化される。また、バンド部材３０によれば、それを取り除いたことの痕跡が残り、不正開栓防止機能（ピルファープルーフ）を発揮できる。
【００３３】
次に、第２の実施の形態を図８及び図９に基づき説明する。
【００３４】
図８、図９に示すように、本実施の形態のキャップ２００は、キャップ本体２０２の閉成端外側（底壁外面）に、トリガースプレーヤ２０４を設けることができる。トリガースプレーヤ２０４は、キャップ本体２０２の底に開口された取付孔２０６を通ってキャップ本体２０２内に入る取付部２０８を有する。キャップ本体２０２内において、取付部２０８の外周には、容器１６の口部１８と対向するフランジ２１０が形成されている。取付孔２０６の孔縁部２１２が屈曲されて屈曲された孔縁部２１２がフランジ２１０の取付孔２０６側の面に当たり、これにより、トリガースプレーヤ２０４のキャップ本体２０２からの脱落が防止されている。
【００３５】
トリガースプレーヤ２０４は、キャップ本体２０２に対して軸線回りに相対回動できる。トリガースプレーヤ２０４は回動しないでそのままで、キャップ本体２０２を回動して容器１６の口部１８へ螺合締付でき、螺合を緩めることができる。
【００３６】
キャップ本体２０２のネジ１４の容器１６の口部１８のネジ２０への螺合締付によれば、取付部２０８の先端部が容器１６の口部１８内に嵌入し、フランジ２１０が口部１８の端面にパッキン２１４を介して当接し、液密化されている。取付部２０８内からは容器１６内にチューブ２１６が延び、トリガー２１８のトリガー操作によりポンプ２２２を作動し、容器１６内の液体を吸い上げてノズル２２０から噴出することができる。
【００３７】
他の構成は、第１の実施の形態と同様であり、第２の実施の形態によれば、第１の実施の形態のキャップ１０に対応する容器１６であればそれを替容器として、それにトリガースプレーヤ２０４の装着ができる。他の作用、効果は第１の実施の形態と同様である。
【００３８】
本発明は、上記の各実施の形態に限るものではなく、種々の形態が可能である。例えば
上記各実施の形態では、脆弱部を薄片３２で構成して、薄片３２を周方向に沿って連続的に設けているが、それに限るものではない。薄片を周方向に沿って間欠的に設けてもよく、また、脆弱部は薄片に限るものでもない。
【００３９】
ネジ１４、ネジ２０は、キャップ本体１２、２０２の軸線回りに連続して設けなくても、その一部でも、また、間欠的に設けてもよい。
【図面の簡単な説明】
【００４０】
【図１】図１は、本発明のキャップの第１の実施の形態を示し、（Ａ）は、斜視図であり、（Ｂ）は、図２の１−１線端面図である。
【図２】図２は、第１の実施の形態を示す縦断面図である。
【図３】図３は、第１の実施の形態を示す正面図である。
【図４】図４は、第１の実施の形態に係り、ロック部材の係止を示し、（Ａ）は、図１（Ａ）に対応する図であり、（Ｂ）は、図１（Ｂ）に対応する図である。
【図５】図５は、第１の実施の形態に係り、ロック部材の離脱を示し、（Ａ）は、図１（Ａ）に対応する図であり、（Ｂ）は、図１（Ｂ）に対応する図である。
【図６】図６は、第１の実施の形態に係り、バンド部材の捲り開始の直後を示し、（Ａ）は、図１（Ａ）に対応する図であり、（Ｂ）は、図１（Ｂ）に対応する図である。
【図７】図７は、第１の実施の形態に係り、バンド部材の捲り中間過程を示し、（Ａ）は、図１（Ａ）に対応する図であり、（Ｂ）は、図１（Ｂ）に対応する図である。
【図８】図８は、本発明のキャップの第２の実施の形態を示す斜視図である。
【図９】図９は、第２の実施の形態を示す縦断面図である。
【符号の説明】
【００４１】
１０，２００  キャップ
１２、２０２  キャップ本体
１６  容器
１８  口部
２２  阻止部
２８  ロック部材
３０  バンド部材
３２、３３  脆弱部
３４  捲り開始掴み用の間隙
２０４  トリガースプレーヤ
２１８  トリガー
【図１】
0004679079.tif 000002
【図２】
0004679079.tif 000003
【図３】
0004679079.tif 000004
【図４】
0004679079.tif 000005
【図５】
0004679079.tif 000006
【図６】
0004679079.tif 000007
【図７】
0004679079.tif 000008
【図８】
0004679079.tif 000009
【図９】
0004679079.tif 000010